(57)【要約】【課題】弁（ｖａｌｖｅ）などの開閉装置なしにコンパクトに製作されて持ち運び易く、応急状況が発生したときに人体の口腔及び気管を介して肺及び胸廓を内部で加圧するようにした携帯用人工呼吸器が提供される。【解決手段】前記携帯用人工呼吸器は、開口された空気通路が下部にのみ形成された筒状のチャンバーであって、周縁部には多数の折り畳み蛇腹が形成されて下部に働く圧力により折り畳まれて圧縮され、前記圧力が解除されるときに前記折り畳みが修復されて上部に膨張する可撓性の空気チャンバーを有し、前記空気通路には膨張可能な外周縁構造物が形成され、内部又は内腔の背面を密閉し、前記空気通路と連通される呼吸孔が形成された可撓性シリコーンゴムシート材料のマスクが接続されてなる。【選択図】図１
2018515315.tif 000002
【特許請求の範囲】
【請求項１】
開口された空気通路が下部にのみ形成された筒状のチャンバーであって、周縁部には多数の折り畳み蛇腹が形成されて下部に働く圧力により折り畳まれて圧縮され、前記圧力が解除されるときに前記折り畳みが修復されて上部に膨張する可撓性の空気チャンバーを有し、前記空気通路には膨張可能な外周縁構造物が形成され、内部又は内腔の背面を密閉し、前記空気通路と連通される呼吸孔が形成された可撓性シリコーンゴムシート材料のマスクが接続されてなることを特徴とする携帯用人工呼吸器。
【請求項２】
前記可撓性の空気チャンバーの周縁部には、断面視で上下方向に凸部及び凹部が千鳥状に連設された折り畳み部が形成されたものであることを特徴とする請求項１に記載の携帯用人工呼吸器。
【請求項３】
前記可撓性の空気チャンバーの上面には指が嵌るように垂直な方向に把持ロッドが形成されて、ユーザーの指と指との間が前記把持ロッドに嵌って手のひらが前記上面を押下するときに前記可撓性の空気チャンバーを圧縮するものであることを特徴とする請求項１又は請求項２に記載の携帯用人工呼吸器。
【請求項４】
前記把持ロッドの上部には、前記把持ロッドの直径よりも大きな直径を有する把持ヘッドが形成されたものであることを特徴とする請求項３に記載の携帯用人工呼吸器。
【発明の詳細な説明】
【技術分野】
【０００１】
本発明は、呼吸が停止した応急患者又は重病患者の換気を保つように一回換気量（Ｔｉｄａｌ  ｃｏｌｕｍｅ）に見合う空気の投与のために使用する手動式人工呼吸器（ＡＭＢＵ：ａｉｒ  ｍａｓｋ  ｂａｇ  ｕｎｉｔ）に係り、更に詳しくは、弁（ｖａｌｖｅ）などの開閉装置なしにコンパクトに製作されて持ち運び易く、応急状況が発生したときに人体の口腔及び気管を介して肺及び胸廓を内部で加圧するようにした携帯用人工呼吸器に関する。
【背景技術】
【０００２】
呼吸が停止したときに人工的に肺胞に酸素を吹き込む装置として、携帯用には救急蘇生バックであるアンビューバッグ（ＡＭＢＵ−ｂａｇ：ａｉｒ  ｍａｓｋ  ｂａｇ  ｕｎｉｔ−ｂａｇ）が広く用いられている。この種のアンビューバッグは、周知のように、空気袋（エアバッグ）及び弁と、マスクとにより構成されている。空気袋は、空気が自動的に満たされ、注入すべき空気を弁及びマスクを介して患者の口腔に供給する。弁は、患者が吐く空気を通過させず、空気袋の空気のみを通過させる一方向弁である。
【０００３】
このようなアンビューバッグは、応急患者を輸送する救急車、応急室、集中治療室、手術室、回復室などはもとより、一般の病室において、心肺機能が低下した状態であるか、又は心肺停止状態であるときに患者の肺及び胸廓を加圧して空気を人体の内部に換気させるのに重要に用いられる応急医療装備の一つである。
【０００４】
アンビューバッグでは、実際の使用に当たって、一つの手で持続的にエアバッグを圧縮し、もう一つの手で患者の措置に必要な操作を加え、目では患者の他の生体徴候を監視し、他の危険状況を感知することが患者を治療する上で効率的である。
【０００５】
米国及びヨーロッパの心臓協会において２００５年に発表された心肺蘇生術ガイドライン（ｇｕｉｄｅｌｉｎｅ）によれば、５００〜６００ｃｃの一回換気量を提供することを勧告しており、通常のアンビューバッグは、普通、約８００〜２０００ｃｃであるため、持続的に一定量の換気量を供給することは困難である。これは、換気提供者の熟練度、慣れ、個人的な資質に応じて個人差があり、これは、色々な実験資料及び論文において証明されている。
【０００６】
最近のアンビューバッグの持続的な技術発達には目を見張るものがあり、これに伴い、空気を患者に提供するアダプター（ａｄａｐｔｅｒ）部分に空気の流量を表示する流量計を付設してもよいが、驚き慌ててパニック状態になった応急状況下で流量計を持続的に観察し続けることには限界があり、このために、特別な装置や複雑な設備を設けることにも問題がある。
【０００７】
上記の如き問題を解消するために案出された従来のアンビューバッグの構造は、国際公開番号ＷＯ２０１２０４３９１１Ａ１（２０１２年４月５日付け公開）に開示されている。同特許文献に開示されたアンビューバッグは、適正な空気（酸素）の換気量である５００〜６００ｃｃを患者に一定に供給できるようにエアバッグに所定の加圧部が設定され、ユーザーの指が前記エアバッグを取り囲みながら前記指の端部が前記加圧部を加圧するときに所定の空気が患者に供給されるようになっている。
【先行技術文献】
【特許文献】
【０００８】
【特許文献１】ＷＯ２０１２０４３９１１Ａ１
【発明の概要】
【発明が解決しようとする課題】
【０００９】
しかしながら、上記のような従来のアンビューバッグは、エアバッグが円形状又は長円状に形成されているため、ユーザーが手で掴み、予め設定された加圧部を指で持続的に且つ繰り返し加圧し続けることを余儀なくされるが故に、握力の弱い者は、長時間に亘って患者に空気を供給することが困難であった。なお、エアバッグが常に一定の体積を有するように形成されているが故に持ち運び難く、エアバッグに少なくとも２つの弁が設けられるが故に非常に製造し難かった。
【００１０】
したがって、本発明は、製作し易く、しかも、持ち運び易いことから、手軽に患者に適正な空気（酸素）が供給可能な構造を有する携帯用人工呼吸器を提供することを目的としている。
【００１１】
本発明の他の目的は、上部において空気の流れを制御するための弁がなく、下部に働く手のひらの圧力により内部の空気を用いて、マスクを介して患者の肺及び胸廓を加圧する携帯用人工呼吸器を提供することである。
【課題を解決するための手段】
【００１２】
上述した目的を達成するための本発明は、開口された空気通路が下部にのみ形成された筒状のチャンバーであって、周縁部には多数の折り畳み蛇腹が形成されて下部に働く圧力により折り畳まれて圧縮され、前記圧力が解除されるときに前記折り畳みが修復されて上部に膨張する可撓性の空気チャンバー（ｆｌｅｘｉｂｌｅ  ａｉｒ  ｃｈａｍｂｅｒ）を有し、前記空気通路には膨張可能な外周縁構造物が形成され、内部又は内腔の背面を密閉し、前記空気通路と連通される呼吸孔が形成された可撓性シリコーンゴムシート材料のマスクが接続されてなる。
【００１３】
前記可撓性の空気チャンバーの周縁部には、断面視で上下方向に凸部及び凹部が千鳥状に連設された折り畳み部が形成されたものであることを特徴とする。
【００１４】
前記可撓性の空気チャンバーの上面には指が嵌るように垂直な方向に把持ロッドが形成されて、ユーザーの指と指との間が前記把持ロッドに嵌って手のひらが前記上面を押下するときに前記可撓性の空気チャンバーを圧縮するものであることを特徴とする。
【００１５】
前記把持ロッドの上部には、前記把持ロッドの直径よりも大きな直径を有する把持ヘッドが形成されたものであることを特徴とする。
【発明の効果】
【００１６】
本発明に係る携帯用人工呼吸器は、空気の流れを開閉する弁なしに、可撓性の空気チャンバーの上面を押したり引っ張ったりする動作だけで、その内部チャンバーに満たされている空気（酸素）を患者の鼻及び口にマスクを介して供給して人工呼吸を行うことができ、使用しないときに前記可撓性の空気チャンバーを圧縮して体積を最小化させることができて手軽に持ち運びできる。
【００１７】
したがって、手軽に持ち運んでいて、応急患者を見付けたときに速やかに且つ正確に応急援助を行うことができるというメリットがある。
【図面の簡単な説明】
【００１８】
【図１】本発明に係る携帯用人工呼吸器の概略図である。
【図２】本発明に係る携帯用人工呼吸器の断面図である。
【図３】本発明に係る携帯用人工呼吸器の使用状態を説明するための図である。
【図４】本発明に係る携帯用人工呼吸器の使用状態を説明するための図である。
【図５】本発明に係る携帯用人工呼吸器の使用状態を説明するための図である。
【発明を実施するための形態】
【００１９】
以下、添付図面に基づいて、本発明の好適な実施形態について詳細に説明する。しかしながら、本発明は、多数の異なる形態に具体化され、記述された実施形態に制限されないことを理解すべきである。後述する本発明の実施形態は、当業者に本発明の思想を十分に伝えるためのものであることに留意すべきである。
【００２０】
図１及び図２を参照すると、本発明の携帯用人工呼吸器１０は、大きく、長手（上下）方向に圧縮又は膨張されて内部にチャンバー２５を形成する可撓性のシリコーン樹脂製の可撓性の空気チャンバー２０と、前記可撓性の空気チャンバー２０の下部及び上部にそれぞれ形成されたマスク３０及び把持部４０を備える。
【００２１】
このとき、前記可撓性の空気チャンバー２０は、中空状態であり、下部にのみ開口された空気通路２１が形成された筒状のチャンバー２５であって、周縁部には凸部２２及び凹部２３が千鳥状に連設された多数の折り畳み蛇腹２４が形成されてなる。このとき、前記可撓性の空気チャンバー２０は、可撓性のゴム材、シリコーン樹脂などにより製作可能である。本発明の実施形態においては、前記可撓性の空気チャンバー２０の形状を円筒状にした場合を例にとっているが、四角筒状、円錐状など様々な形状に製作可能であり、実施形態による形状に制限されないことに留意すべきである。
【００２２】
前記空気通路２１の下部には、その外周縁を形成する同じシリコーンゴム材料の膨張可能な外周縁構造物３１と内部又は内腔３２の背面を密閉し、呼吸孔３３を有する可撓性のシリコーンゴムシート材料のマスク３０が接続されて形成される。このとき、前記呼吸孔３３は、上部から下方に向かって進むにつれて狭くなるテーパー状であって、加圧に際してチャンバー２５に満たされている空気が強く吐き出されるような構造を有する。本発明の実施形態においては、前記呼吸孔３３は、チャンバー２０の下部に形成された空気通路２１とマスク３０の外周縁構造物３１の中央部に所定の長さを有するチューブの内部に形成されている。
【００２３】
マスク３０は、応急患者の鼻及び口の周りを十分に覆うことができるような大きさに製作されることが好ましい。本発明の実施形態においては、前記空気通路２１及びここに連通された呼吸孔３３が垂直に形成されたことを例にとっているが、外周縁構造物３１の平面に対して約３０°の角度で傾くように形成して可撓性の空気チャンバー２０が圧縮されるときに圧縮空気の流れを変えてもよい。
【００２４】
前記可撓性の空気チャンバー２０の上面２６は、図示の如く閉塞されており、その上面には指が嵌るように垂直な方向に形成された把持ロッド４１が形成されてユーザーの人指し指と中指との間が前記把持ロッド４１に嵌って手のひらが前記上面を押下するときに前記可撓性の空気チャンバー２０を圧縮する。
【００２５】
前記把持ロッド４１の上部には、前記把持ロッド４１の直径よりも大きな直径を有する把持ヘッド４２を形成して、前記把持ロッド４１をユーザーが指と指との間に嵌めて下方向に圧縮した後に上方に持ち上げたときに、前記可撓性の空気チャンバー２０が手軽に膨張されるようにする。これとは異なり、ユーザーが把持ロッド４１を手のひらで取り囲んで把持した後に押下するときにも同じ動作が行われる。
【００２６】
このため、人工呼吸器１０の可撓性の空気チャンバー２０は、マスク３０の内腔３２若しくは内部を介してチャンバー２５に開放されている。外周縁構造物３０は、その先端部が喉頭鏡の上端部につながる後咽頭のベースと同じ形状である三角形状になるように僅かに伸びるようにして略長円形状に製作することが好ましい。
【００２７】
このような構成を有する携帯用人工呼吸器１０は、持ち運びに際しては圧縮された状態であり、使用に際しては膨張された状態を保つ。膨張は、可撓性の空気チャンバー２０の可撓性により折り畳み蛇腹２４が伸びて上下部に膨張されるか、又は、ユーザーが把持ロッド４１及び把持ヘッド４２を上方に引っ張って行う。可撓性の空気チャンバー２０が膨張されると、マスク３０の内部又は内腔３２の開口部、呼吸孔３３及び空気通路２１を介してチャンバー２５の内部に空気（酸素）が貯留される。
【００２８】
このとき、前記可撓性の空気チャンバー２０の体積（容量）は、一回の圧縮時に約８００〜９００ｃｃの空気（酸素）が前記マスク３０の開口部を介して排出されるような大きさを有することが好ましい。
【００２９】
図３から図５に基づいて、本発明の実施形態による携帯用人工呼吸器１０の使用例について説明する。
【００３０】
応急患者が発生すると、図１及び図２に示すような構成を有する携帯用人工呼吸器１０を図３に示すように上下に膨張させた後、マスク３０を患者の鼻及び口の周りの顔５０に密着させる。
【００３１】
次いで、可撓性の空気チャンバー２０の上部面に形成された把持ロッド４１をユーザーが指と指との間に嵌めて、図４に示すように手のひらで可撓性の空気チャンバー２０の上面２６を押下して圧力を加えたり、手のひらで把持ヘッド４２を把持して下方に圧力を加えたりすると、可撓性の空気チャンバー２０の外周縁に形成された折り畳み蛇腹２４が折り畳まれ、これにより、チャンバー２５の内部の圧力が高くなるため、チャンバー２５の内部に満たされている空気（酸素）は、下側にテーパー状に形成された空気通路２１、呼吸孔３３及びマスク３０の内部又は内腔３２を介して患者の鼻及び口に吹き込まれる。したがって、可撓性の空気チャンバー２０の上面を押下する動作だけでも応急患者の口腔及び気管を介して肺及び胸廓を加圧して心肺蘇生術を行うことが可能になる。
【００３２】
このように、可撓性の空気チャンバー２０を圧縮して空気（酸素）を用いて応急患者の肺及び胸廓を加圧した後、応急患者の顔５０に密着されたマスク３０を持ち上げてマスク３０の外周縁構造物３１の底面を応急患者の顔５０の鼻及び口の周りから引き離すと、顔５０とマスク３０との間には隙間又は空間５１が生じる。このとき、可撓性の空気チャンバー２０の弾性により、チャンバー２５の内部は、図５に示すように、長手方向に膨張する。更に好ましくは、このようにして空間５１を形成した後、把持ロッド４１又は把持ヘッド４２を上方に引っ張って速やかにチャンバー２５に外部空気（酸素）を満たすことができる。前記把持ヘッド４２を引っ張ると、マスク３０の外周縁構造物３１と顔５０との間の空間５１を通った空気（酸素）が呼吸孔３３及び空気通路２１を介してチャンバー２５の内部に満たされる。
【００３３】
上述したように、可撓性の空気チャンバー２０が膨張された状態で、図３に示すように、マスク３０を患者の鼻及び口の周りの顔５０に密着して押圧すると、人工呼吸を繰り返し行うことができる。
【００３４】
本発明の実施形態においては説明しなかったが、可撓性の空気チャンバー２０を最小の大きさに圧縮した状態にて、ストラップで括って持ち運びできるようにチャンバー２５の上部の両側端部にはストラップを設けてもよい。
【００３５】
以上述べたように、本発明の実施形態による携帯用人工呼吸器は、手軽に折り畳んで大きさを縮小することができて持ち運び易く、弁を備えなくても応急患者の口腔及び気管を介して肺及び胸廓を内部で加圧することができて効率よく人工呼吸を行うことができる。
【図１】
2018515315.tif 000003
【図２】
2018515315.tif 000004
【図３】
2018515315.tif 000005
【図４】
2018515315.tif 000006
【図５】
2018515315.tif 000007
【国際調査報告】
2018515315.tif 000008
2018515315.tif 000009
2018515315.tif 000010
2018515315.tif 000011